(57)【要約】【課題】有効な効果が得られるに十分な時間だけ、被検体の体内部における特定部位領域に磁性粒子を滞留させることが可能で、患部の治療又は診断経過を確認可能な磁気共鳴イメージング装置を実現する。【解決手段】被検体１をＭＲＩ装置の撮影空間に配置後、患者のガン患部を撮影してその部位を特定すると共にその情報を記録し、ガイド機構２５で磁性体細線を被検体１の患部近傍に挿入する。磁性微粒子を含むハイパーサーミア用薬剤をガイド機構２５で患部に注入しＲＦコイルの周波数を変更する。高周波磁界で患部周囲に滞留する磁性体微粒子を加熱し、加熱処置後の患部をＭＲＩにより撮影し、ガン細胞を所定以上確認したら再び高周波患部加熱を行う。薬剤回収用バイパス手段を被検体１に設置しガン細胞と結合した磁性微粒子を回収する。ＭＲＩで特定細胞が回収されたかを判断し回収の場合はバイパス手段を外し終了する。【選択図】      図５
2005160749.tif 000002
【特許請求の範囲】
【請求項１】
静磁場発生手段と、傾斜磁場発生手段と、高周波送信コイルと、高周波受信コイルと、この高周波受信コイルにより受信した核磁気共鳴信号に基づき、被検体の断層画像を再構成する画像再構成手段と、上記傾斜磁場発生手段、高周波送信コイル、高周波受信コイル及び画像再構成手段の動作を制御する動作制御手段とを備える磁気共鳴イメージング装置において、
被検体の体内に挿入される磁性体要素と、温熱治療用の薬剤を注入する貫通孔を有するガイド機構を備え、
上記動作制御手段は、上記磁性体要素が被検体に挿入され、温熱治療用の薬剤が注入された後に、上記高周波送信コイルにより高周波を被検体に送信して上記磁性体要素が挿入された部位を加熱させる手段を備えることを特徴とする磁気共鳴イメージング装置。
【請求項２】
請求項１記載の磁気共鳴イメージング装置において、上記動作制御手段は、上記磁性体要素が挿入された部位の加熱前における上記部位の断層画像を撮像させるとともに、上記部位の加熱後における上記部位の断層画像を撮像させて、上記加熱処理前後の画像を比較し、上記部位のうちの所定部分の変化に対応して上記加熱手段を制御することを特徴とする磁気共鳴イメージング装置。
【請求項３】
請求項１記載の磁気共鳴イメージング装置において、上記被検体と上記静磁場発生手段が発生する静磁場を利用して上記被検体から上記薬剤を回収する薬剤回収手段とを交互に上記静磁場に配置して、薬剤回収と上記被検体の断層画像の撮像を交互に行う手段と、この断層画像から薬剤が回収されたか否かを判断する手段を備えたことを特徴とする磁気共鳴イメージング装置。
【請求項４】
請求項１、２、３のうちのいずれか一項記載の磁気共鳴イメージング装置において、上記磁性体要素は、強磁性体からなる細線であることを特徴とする磁気共鳴イメージング装置。
【発明の詳細な説明】
【技術分野】
【０００１】
本発明は、温熱治療装置に係り、特に、温熱治療機能を有する磁気共鳴イメージング装置に関する。
【背景技術】
【０００２】
温熱治療（ハイパーサーミア）は、腫瘍等の局所を３０〜６０分間、４２℃以上に加温する治療方法であり、如何にして腫瘍等の局所部分に出来るだけ限定して加温するかが問題となっている。
【０００３】
このため、上記温熱治療に関して、例えば、特許文献１や特許文献２に記載された技術が開発されている。
【０００４】
特許文献１記載の技術は、人間または動物の腫瘍等の組織に対して予め磁気応答可能粒子を付加しておき、２つの磁場発生手段の間に交流勾配磁場領域を生成し、この交流勾配磁場領域に、上記腫瘍等組織部位を配置する。そして、磁気応答可能粒子の熱又は運動エネルギーを増加させ、腫瘍等の組織を不活性あるいは破壊する技術である。
【０００５】
また、特許文献２記載の技術は、交流電磁場における酸化鉄粒子により発生する熱に基づき、痛みの鎮静と疾患関節における炎症プロセスの抑制を図る技術である。
【０００６】
【特許文献１】特表２００３−５０８１７３号公報
【特許文献２】特表２００３−５０７４３４号公報
【発明の開示】
【発明が解決しようとする課題】
【０００７】
しかしながら、上記従来の技術にあっては、診断や治療を施すために組織内に注入された強磁性体粒子に担持された液体が、被検体の組織内部で拡散するため、長時間にわたってこの液体を滞留させることが困難であり、それ以上の温熱効果を期待することができなかった。
【０００８】
また、磁気勾配を利用して磁性体粒子を特定の部位に集中させる試みもなされてきたが、磁気勾配力が小さく、かつ印加できる範囲も被検体の体表面に限られていた。
【０００９】
したがって、有効な効果が得られるに十分な時間だけ、被検体の体内部における特定部位領域に磁性粒子を滞留させることが困難であった。
【００１０】
本発明の目的は、有効な効果が得られるに十分な時間だけ、被検体の体内部における特定部位領域に磁性粒子を滞留させることが可能で、患部の治療又は診断経過を確認可能な磁気共鳴イメージング装置を実現することである。
【課題を解決するための手段】
【００１１】
上記目的を達成するため、本発明は次のように構成される。  
（１）磁気共鳴イメージング装置は、静磁場発生手段と、傾斜磁場発生手段と、高周波送信コイルと、高周波受信コイルと、この高周波受信コイルにより受信した核磁気共鳴信号に基づき、被検体の断層画像を再構成する画像再構成手段と、上記傾斜磁場発生手段、高周波送信コイル、高周波受信コイル及び画像再構成手段の動作を制御する動作制御手段とを備える。
【００１２】
この磁気共鳴イメージング装置は、被検体の体内に挿入される磁性体要素と、温熱治療用の薬剤を注入する貫通孔を有するガイド機構とを備える。そして、上記動作制御手段は、上記磁性体要素が被検体に挿入され、温熱治療用の薬剤が注入された後に、上記高周波送信コイルにより高周波を被検体に送信して上記磁性体要素が挿入された部位を加熱させる手段を備える。
【００１３】
（２）好ましくは、上記（１）において、上記動作制御手段は、上記磁性体要素が挿入された部位の加熱前における上記部位の断層画像を撮像させるとともに、上記部位の加熱後における上記部位の断層画像を撮像させて、上記加熱処理前後の画像を比較し、上記部位のうちの所定部分の変化に対応して上記加熱手段を制御する。
【００１４】
（３）また、好ましくは、上記（１）において、上記被検体と上記静磁場発生手段が発生する静磁場を利用して上記被検体から上記薬剤を回収する薬剤回収手段とを交互に上記静磁場に配置して、薬剤回収と上記被検体の断層画像の撮像を交互に行う手段と、この断層画像から薬剤が回収されたか否かを判断する手段を備える。
【００１５】
（４）また、好ましくは、上記（１）、（２）、（３）において、上記磁性体要素は、強磁性体からなる細線である。
【発明の効果】
【００１６】
本発明により、有効な効果が得られるに十分な時間だけ、被検体の体内部における特定部位領域に磁性粒子を滞留させることが可能で、患部の治療又は診断経過を確認可能な磁気共鳴イメージング装置を実現することができる。
【００１７】
また、磁性粒子は、常磁性体を用いることができ、強磁性体を用いる場合より、ＭＲＩ装置による断層画像の乱れを低減することができる。
【発明を実施するための最良の形態】
【００１８】
以下、本発明の実施形態について、添付図面を参照して説明する。  
図１は、本発明が適用される磁気共鳴イメージング装置（ＭＲＩ装置）の全体概略構成図である。
【００１９】
図１において、ＭＲＩ装置は、静磁場発生磁石２と、傾斜磁場発生系３と、送信系５と、受信系６と、信号処理系７と、シーケンサ４と、中央処理装置（ＣＰＵ）８とを備えている。
【００２０】
静磁場発生磁石２は、寝台上の天板（図示省略）に載置された被検体１の周りにその体軸方向または体軸と直交する方向に均一な静磁場を発生させるもので、被検体１の周りのある広がりをもった空間に永久磁石方式または常電導方式あるいは超電導方式の磁場発生手段が配置されている。
【００２１】
傾斜磁場発生系３は、Ｘ、Ｙ、Ｚの三軸方向に巻かれた傾斜磁場コイル９と、それぞれの傾斜磁場コイルを駆動する傾斜磁場電源１０とを備え、後述するシーケンサ４からの命令に従って、Ｘ、Ｙ、Ｚのそれぞれのコイルの傾斜磁場電源１０を駆動することにより、Ｘ、Ｙ、Ｚの三軸方向の傾斜磁場Ｇｘ、Ｇｙ、Ｇｚを被検体１に印加する。傾斜磁場の加え方により被検体１に対するスライス面を設定することができる。
【００２２】
シーケンサ４は、被検体１の生体組織を構成する原子の原子核に核磁気共鳴を起こさせる高周波磁場パルスをある所定のパルスシーケンスで繰り返し印加する。また、シーケンサ４は、ＣＰＵ８の制御により動作し、被検体１の断層像のデータ収集に必要な種々の命令を、送信系５、傾斜磁場発生系３及び受信系６に送る。
【００２３】
送信系５は、上記シーケンサ４から送り出される高周波パルスにより被検体１の生体組織を構成する原子の原子核に核磁気共鳴を起こさせる高周波磁場を照射する。そして、送信系５は、高周波発振器１１と、変調器１２と、高周波増幅器１３と、送信側の高周波コイル１４ａとを備える。
【００２４】
高周波発振器１１から出力された高周波パルスをシーケンサ４の命令に従って変調器１２で振幅変調し、この振幅変調された高周波パルスを高周波増幅器１３で増幅する。そして、増幅された高周波パルスを、被検体１に近接して配置された高周波コイル１４ａに供給することにより、電磁波が被検体１に照射される。
【００２５】
受信系６は、被検体１の生体組織の原子核の核磁気共鳴により放出されるエコー信号（ＮＭＲ信号）を検出する。受信系６は、受信側の高周波コイル１４ｂと、増幅器１５と、直交位相検波器１６と、Ａ／Ｄ変換器１７とを備える。
【００２６】
送信側の高周波コイル１４ａから照射された電磁波による被検体１の応答の電磁波（ＮＭＲ信号）は被検体１に近接して配置された高周波コイル１４ｂで検出され、増幅器１５及び直交位相検波器１６を介してＡ／Ｄ変換器１７に入力されてディジタル量に変換される。さらに、直交位相検波器１６に供給された信号はシーケンサ４からの命令によるタイミングで直交位相検波器１６によりサンプリングされた二系列の収集データとされ、その信号が信号処理系７に送られる。
【００２７】
信号処理系７は、ＣＰＵ（動作制御演算手段）８と、磁気ディスク１８及び磁気テープ１９等の記録装置と、ＣＲＴ等のディスプレイ２０とを備え、ＣＰＵ８でフーリエ変換、補正係数計算、像再構成等の処理を行い、任意断面の信号強度分布あるいは複数の信号に適当な演算を行って得られた分布を画像化してディスプレイ２０に断層像として表示する。
【００２８】
次に、本発明の原理について、説明する。  
（Ａ）図２に示すように、均一な静磁場空間領域５０に配置され、予め磁気応答物質が注入された被検体１の体内に、磁性体要素を挿入することによって、被検体１の体内に急激な磁場勾配を発生させて、体内の磁気応答物質に大きな磁気吸引力を作用させる。
【００２９】
これは、磁場中に極細強磁性の細線２１を配置すると、図３に示すように、磁力線が細線２１に集中し、周囲の磁力線分布が極端に歪んで、大きな磁気勾配が発生するからである。
【００３０】
一般に、単位体積の物質に作用する磁気力ＦＨは次式（１）で表される。  
ＦＨ＝ｐ・ｘｇ・Ｈ（ｄＨ／ｄｙ）        −−−（１）
ここで、上記式（１）において、ｐは密度、ｘｇは質量磁化率、Ｈは磁場強度、（ｄＨ／ｄｙ）は磁場勾配である。
【００３１】
上記式（１）から、磁気力を大きくするには、磁気力を作用させる磁気応答物質が一定なら、磁場強度や磁場勾配を大きくすれば良いことがわかる。
【００３２】
さらに、人体内に大きな磁気力を作用させる場合、磁場強度を高くすると、その空間サイズより磁石が大規模になるため、磁場勾配を大きくすることが有効である。
【００３３】
上述のように、磁場中に極細強磁性の細線２１を配置すると、磁力線が細線２１に集中し、周囲の磁力線分布が極端に歪んで、大きな磁気勾配が発生する。
【００３４】
磁気勾配は次式（２）のように、磁性体の飽和磁化Ｍｓと、細線２１の半径ａとの比で与えられる。すなわち、強磁性の細い線を用いると、その周囲に大きな磁気力が作用できることがわかる。  
ｄＨ／ｄｙ＝Ｍｓ／ａ        −−−（２）
一般に、永久磁石等で印加できる磁場勾配は、１ｘ１０７Ａ／ｍ２であるが、同様の磁場空間に、直径φ０．１ｍｍの細線２１を配置すると、その周囲には約１０００倍の１ｘ１０１０Ａ／ｍ２の磁場勾配が発生するため、非常に大きな磁気力を作用させることができる。
【００３５】
また、細線２１を用いると体積も小さいため、均一空間内部へ導入する際の磁気吸引力も小さく、細線２１の導入機構等も比較的小型なものでよい。
【００３６】
また、磁場方向に対して、磁性体細線２１の長手方向を垂直に配置することによって、細線２１の半径方向の周囲に急激な磁場勾配を発生することができる。
【００３７】
（Ｂ）図４に示すように、急激な磁場勾配を被検体１の体内に発生させると、被検体１の体液中２３の磁性粒子あるいは磁性体等の磁気応答物質２２に担持された液体に大きな磁気力が作用し、この液体が体内を循環することを抑制し、滞留あるいは分離することが可能となる。
【００３８】
（Ｃ）磁性体２２に作用する磁気力は、吸引物質の磁化率が大きいほど強くなるので、外部磁場の強度を大きくすると、常磁性体の場合は飽和せずに単純に大きくなるため、磁性体２２が強磁性体の場合のみならず、銅やアルミナ等の常磁性体の物質の場合であっても、磁気的に干渉させることができる。
【００３９】
銅やアルミナ等の常磁性体の物質を用いることが可能であるので、ＭＲＩ装置により断層画像を撮像する場合には、画像に乱れを起こすことを回避することができる。
【００４０】
（Ｄ）被検体１の体内に滞留させた、これら磁気応答する物質２２を、高周波加熱すると、磁気応答物質２２が滞留した領域の細胞組織を間接的に加熱することができる。このため、特定の部位を選択的に加熱治療することができる。
【００４１】
（Ｅ）上述の機能を発揮できる装置は、一般的なＭＲＩ装置に、磁性体要素を均一空間内部に配置できるガイド誘導機構並びに被検体１の体内に滞留した磁気応答物質２２を高周波加熱できるコイルを設けることで達成することが可能できる。
【００４２】
（Ｆ）また、ＭＲＩ機能で観察しながら、均一な静磁場空間に配置された被検体１の特定部位に非磁性体のガイドを挿入して位置決めをした後に、均一磁場空間の外部から磁性体要素を被検体１の体内に導入して、磁性体要素の周囲に急激な磁場勾配を発生させ、体内の磁気応答物質と磁気干渉を生じさせることで、特定の部位を選択的に温熱処置することができる。
【００４３】
（Ｇ）また、一般的なＭＲＩ装置の磁石端部では、磁場勾配が大きな領域が存在するので、磁性体要素を特別に導入する機構を設ける必要なく、被検体１の体内に磁場勾配を印加させることができる。
【００４４】
（Ｈ）また、被検体１に強磁性元素を含んだ造影剤を体内に注入し、造影剤を特定部位に滞留させた後に、磁性体要素を除去して、均一磁場空間にて撮影を施す撮影手法も行うことができる。
【００４５】
なお、被検体１の体内を循環する磁気応答物質２２は、診断や治療用の医薬品あるいは被検体１の体内で自ら発生したもののいずれでも効果は発揮できる。
【００４６】
次に、本発明の具体的な実施形態について説明する。  
図５は、本発明の一実施形態であるＭＲＩ装置の概観斜視図である。この実施形態は、がん細胞を温熱して死滅させることができるハイパーサーミアに関する装置である。
【００４７】
図５に示すように、本発明の一実施形態におけるＭＲＩ装置には、テーブル（ベッド）２４に配置された被検体１に、磁性体細線の挿入等を行うガイド機構２５が備えられている。
【００４８】
ガイド機構２５は、図６に示すように、磁性体細線の集合体２６と、ハイパーサーミア用の金属粒子を含有する薬剤を注入できる貫通孔２８と、磁性体細線の集合体２６を医師等が保持可能な、つかみ機構２７とが備えられている。
【００４９】
磁性体細線からなるスポンジ状の集合体２６は、ガイド機構２５の先端部に保持され、被検体１の体内に挿入後、その金属細線の集合体２６を体内に残留させることができる。
【００５０】
本発明の一実施形態における治療動作を図８に示した動作フローチャートに従って説明する。
【００５１】
まず、被検体１をＭＲＩ装置の撮影空間に配置した後、患者のガン患部をＭＲ撮影してその部位を特定すると共にその情報を記録する（ステップ１００、１０１）。
【００５２】
その後、付属のガイド機構２５を用いて、磁性体細線の集合体２６を被検体１の患部近傍に挿入する（ステップ１０２）。体内に挿入された磁性体細線の集合体２６には、ＭＲＩ装置の静磁場が印加され、その細線の周囲で磁場が急激に変化し、大きな磁場勾配が生じている。
【００５３】
続いて、磁性微粒子を含んだハイパーサーミア用薬剤を、ガイド機構２５を用いて患部に注入する（ステップ１０３）。従来技術においては、注入された薬剤が時間経過と共に拡散して広がるが、本発明の一実施形態においては、磁性微粒子は磁性体細線の周囲に発生する大きな磁気力によって、患部近辺での滞留が維持される。
【００５４】
次に、ＲＦコイルの周波数を変更し、励起コイルを変更する（ステップ１０４）。これは、磁性微粒子を高周波加熱するために、周波数等を変更するものである。
【００５５】
そして、被検体１の体外から高周波磁界で患部周囲に滞留している磁性体微粒子を加熱することで患部を加熱する（ステップ１０５）。従来技術では、高周波加熱される微粒子を含んだ薬剤が患部以外へ拡散するため、周囲の健常部まで加熱・死滅される可能性が高かったが、本発明の一実施形態においては、治療対象部位を集中的に処置できるため、周囲の健常部位に与える影響を極力抑制することができる。
【００５６】
また、従来技術においては、薬剤が極度に拡散する前に加熱処置を完了させることが必要であったため、時間的な制約も大きかったが、本発明により特定部位の加熱処置に十分な時間を設けることが可能となっている。
【００５７】
上記加熱処置に十分な時間の経過後、ＲＦコイルの周波数等を撮影可能な周波数に戻し、加熱処置後の患部をＭＲＩにより撮影し、画像表示する（ステップ１０６）。そして、治療前の患部の撮影データと治療後の患部の撮影データとを比較して、患部のガン細胞が所定以上確認できたか否かを判断する（ステップ１０７）。ステップ１０７において、ガン細胞を所定以上確認できた場合には、ステップ１０５に戻り、再び、高周波による患部加熱を行う。
【００５８】
ステップ１０７において、ガン細胞を所定以上確認できなかった場合は、ステップ１０８に進み、薬剤回収用バイパス手段を被検体１に設置する。このバイパス手段は、図７に示すように、血流閉止ピン３０と、血管バイパス３１と、この血管バイパス３１の中途に配置された磁性体フルタ２９とを備えている。
【００５９】
そして、磁性体フィルタ２９により、特定細胞、つまり、ガン細胞と結合した磁性微粒子が回収される（ステップ１０９）。続いて、患部形態の撮影が行われ（ステップ１１０）、撮影画像に基づいて、特定細胞が回収されたか否かを判断する（ステップ１１１）。ステップ１１１において、特定細胞が回収されていないと判断した場合は、ステップ１１０に戻る。  
この磁性体フィルタ２９と被検体１を、例えば同じ天板上に載置して、磁性微粒子の回収時（ステップ１０９）には磁性体フィルタ２９を静磁場の中心に移動し、被検体患部の撮影時（ステップ１１０）には被検体患部を静磁場中心に移動する。あるいは、被検体患部を常時静磁場中心に配置し、磁性体フィルタ２９を十分な強度の静磁場が存在しながら撮影の障害にならない箇所に配置して、回収（ステップ１０９）と撮影（ステップ１１０）を同時又は交互に行ってもよい。
【００６０】
ステップ１１１において、特定細胞が回収されたと判断した場合は、ステップ１１２において、被検体１に設置したバイパス手段を外し、処理を終了する。
【００６１】
なお、上記実施形態のステップ１０５〜１０７において、ハイパーサーミアによる処置前後のガン患部の撮影情報や患部機能情報を比較し、この比較結果に基づいて、高周波による加熱条件を変更することも可能である。
【００６２】
また、医師がＭＲで撮影した画像をコンピュータ画面で確認しながら、処置対象の腫瘍部分を選択クリックし、ロボットが針（磁性体細線）の挿入角度と深さを計算し、挿入するように構成することも可能である。
【００６３】
また、治療部位に挿入する磁性体細線の集合体２６の形状や寸法は、対象部位の寸法によって任意に選択すれば良く、磁性体細線の直径が同じであれば、薬剤に作用する磁気力は同じであり、細線の単位長さ当たりの磁気応答物質２２の滞留効果も同一である。
【００６４】
また、この細線を、特定部位の細胞集合組織に挿入することにより、数万から数千の単位の小さな部位の組織の治療も可能である。
【００６５】
本発明の一実施形態では、磁性体細線の集合体２６を用いたが、磁気力を大きくするには、その線径が小さいものが好ましい。このため、細線でなく、例えば基板上の蒸着された直径が非常に小さい棒状のパターンであっても、細線と同様な効果を発揮することができる。
【００６６】
なお、ハイパーサーミアによる高周波加熱において、微粒子を高周波加熱する照射コイルは、ＭＲイメージング撮影に使用するＲＦ照射コイルと兼用とすることが、装置構造上、簡略となり好ましいが、高周波加熱用の照射コイルを別個設置することも可能である。
【００６７】
また、磁性細線をカテーテルに付けて、患部等の撮影部位へ挿入した後に、ガドリニウム等の造影剤を注射し、撮影部位領域に造影剤を集中させることも可能である。
【００６８】
以上のように、本発明の一実施形態によれば、ＭＲＩ装置の均一磁場を利用しているため、大きな磁気勾配を得て、磁性体粒子を特定部位に長時間にわたって滞留させて、高周波加熱治療を行うことができるとともに、ＭＲ原理を利用して治療部位の断層画像を表示することができる。
【００６９】
したがって、有効な効果が得られるに十分な時間だけ、被検体の体内部における特定部位領域に磁性粒子を滞留させることが可能で、患部の治療又は診断経過を確認可能な磁気共鳴イメージング装置を実現することができる。
【００７０】
次に、本発明によるＭＲＩ装置を用いた治療方法例について説明する。  
磁気細胞分離技術は、磁性体粒子からなるビーズを分離対象の細胞と免疫反応で結合させた後に、外部からの磁気力で分離する手法である。この手法は磁性体粒子を目的とする分離細胞と選択的に結合させることができる特徴を有している。
【００７１】
直径１μｍ以下の酸化鉄微粒子の表面に白血病細胞分離するレクチンを担持させた磁性体ビーズを用意し、被検体１の体内に注入して数時間を経過させる。これにより、体内に磁性ビーズを循環させて白血病細胞と磁性体ビーズとが結合させる処置を施す。
【００７２】
その後、バイパス手段を患者に設ける手術を施し、血液をフィルタ内ヘバイパスさせる。なお、磁性体細線は直径φ０．０１〜０．０５ｍｍの強磁性のステンレス線である。
【００７３】
その後に、ＭＲＩ装置の内部に被検体１と磁性体フィルタとを含むバイパス回路を入れる。ＭＲＩ装置の撮影空間における磁場強度は０．７Ｔである。スポンジ状フィルタには、ＭＲ１装置の静磁場が印加され、その内部に配置されたステンレス細線の周囲において磁場が急激に変化し、１ｘ１０１０Ａ／ｍ２の磁場勾配が生じている。
【００７４】
この状態で、血流閉止ピンによって、被検体１の血液をバイパス回路３１に流し、フィルタ２９の内部を通過させる。この結果として、被検体１の体内を血液と共に循環している白血病細胞と結合した微粒子（磁性ビーズ）が磁気力によって磁性体細線２１の周囲に集中する。
【００７５】
そこで、被検体１をＭＲＩ装置から出した後に、血流閉止ピン３０を外して、被検体１の血液を通常の状態とした後に、磁性ビーズが集中しているフィルタ２９をバイパス回路３１と共に除去する。
【００７６】
これにより、被検体１体内の白血病細胞が効率良く、体外へ抽出して除去することができる。実験によれば、当初注入した磁性体粒子の９８％が、白血病細胞と共に被検体１の体内から回収することができる。
【００７７】
上述と同様な手法で血液中の赤血球を分離・抽出することも可能である。また、磁性酸化鉄微粒子の表面に環境ホルモン等が吸着しやすくなるように、直鎖アルキル基を固定して疎水化処理することにより、液体中から環境ホルモンを分離することもできる。
【００７８】
また、本発明により、磁気的応答を示す細菌やバクテリアを直接的に分離、抽出することも可能である。
【００７９】
また、上述した例では、白血病細胞分離するレクチンを担持させた磁性体ビーズを用いて、被検体体内に直接注入する構成としたが、被検体１から予め血液を取り出しておき、磁性体フィルタをＭＲＩ装置の静磁場空間に配置して、磁気勾配を利用した細胞分離を行うことも可能である。
【００８０】
また、上述のガイド機構２５でなく、カテーテルの先端部に磁性体細線の集合体を保持できる機構を設けて、患者の血管を経由して治療対象部位にアクセスさせる方法も有効である。
【図面の簡単な説明】
【００８１】
【図１】本発明が適用される磁気共鳴イメージング装置（ＭＲＩ装置）の全体概略構成図である。
【図２】本発明の原理説明図である。
【図３】本発明の原理説明図である。
【図４】本発明の原理説明図である。
【図５】本発明の一実施形態であるＭＲＩ装置の概観斜視図である。
【図６】ガイド機構の概略構成図である。
【図７】バイパス手段の概略構成図である。
【図８】本発明の動作フローチャートである。
【符号の説明】
【００８２】
１                被検体
２                静磁場発生装置
３                傾斜磁場発生系
４                シーケンサ
５                送信系
６                受信系
７                信号処理系
８                ＣＰＵ
９                傾斜磁場コイル
１０              傾斜磁場電源
１１              高周波発信器
１２              変調器
１３、１５        増幅器
１４              高周波コイル
１６              直交位相検波器
１７              Ａ/Ｄ変換器
２１              磁性体細線
２２              磁気応答物質
２４              テーブル（ベッド）
２５              ガイド機構
２６              磁性体細線の集合体
２７              つかみ機構
２８              貫通孔
２９              磁性体フィルタ
３０              血流閉止ピン
３１              血管バイパス
【図１】
2005160749.tif 000003
【図２】
2005160749.tif 000004
【図３】
2005160749.tif 000005
【図４】
2005160749.tif 000006
【図５】
2005160749.tif 000007
【図６】
2005160749.tif 000008
【図７】
2005160749.tif 000009
【図８】
2005160749.tif 000010